(57)【要約】      （修正有）【課題】外的動力が不要で、使用の際に容易に組み立てることができる組立式回転画像表示体を提供する。【解決手段】画像表示シート１０ａ〜１０ｄを有する回転画像表示体であって、回転力付与体１００から回転力を付与されて回転する回転画像表示体において、一対の板状の支脚板２２３と、少なくとも２つ以上の板状の支持板２２１、２２２とを有する。支脚板２２３は、支持板２２１、２２２と係合する係合溝を有し、支持板２２１、２２２は、支脚板２２３と係合する係合溝と、回転部２１０を載置する載置部を有する。支脚板２２３が立設するよう、支脚板２２３と支持板２２１、２２２を、係合溝により係合して井桁状に組み立て、支持板２２１、２２２の載置部に回転部２１０を載置して組み立てられる。【選択図】図１
2020038332.tif 000002
【特許請求の範囲】
【請求項１】
文字・絵柄等による画像を含んで構成された画像表示シートであって、レンズアレイが形成されたレンズシートと、当該レンズシートに対応するレンズ対応画像とにより構成された前記画像表示シートを有する回転画像表示体であって、回転力付与体から回転力を付与されて回転する前記回転画像表示体において、
一対の板状の支脚板と、
少なくとも２つ以上の板状の支持板と、を有し、
前記支脚板は、前記支持板と係合する係合溝を有し、
前記支持板は、前記支脚板と係合する係合溝と、前記画像表示シートを含む回転部を載置する載置部を有し、
前記支脚板が立設するよう、前記支脚板と前記支持板を、前記係合溝により係合して井桁状に組み立て、
前記支持板の載置部に前記回転部を載置して組み立てられることを特徴とする組立式回転画像表示体。
【請求項２】
文字・絵柄等による画像を含んで構成された画像表示シートであって、レンズアレイが形成されたレンズシートと、当該レンズシートに対応するレンズ対応画像とにより構成された前記画像表示シートを有する回転画像表示体であって、回転力付与体から回転力を付与されて回転する前記回転画像表示体において、
一対の板状の支脚板と、
一対の板状の支持板と、を有し、
前記支脚板は、前記支持板と係合する係合溝と、各前記支脚板を互いに係合する係合溝を有し、
前記支持板は、前記支脚板と係合する係合溝と、前記画像表示シートを含む回転部を載置する載置部を有し、
各前記支脚板を前記係合溝により互いに交差させて組み付け、かつ、前記支脚板が立設するよう、前記支脚板と前記支持板を、前記係合溝により係合して組み立て、
前記支持板の載置部に前記回転部を載置して組み立てられることを特徴とする組立式回転画像表示体。
【請求項３】
文字・絵柄等による画像を含んで構成された画像表示シートであって、レンズアレイが形成されたレンズシートと、当該レンズシートに対応するレンズ対応画像とにより構成された前記画像表示シートを有する回転画像表示体であって、回転力付与体から回転力を付与されて回転する前記回転画像表示体において、
一枚の平板状の板状体から、所定の折り線に沿って折り曲げられることにより立設体に組み立てられ、かつ、立設体に組み立てられている状態から前記一枚の平板状の板状体に戻すことが可能な載置台を有し、
前記板状体は、前記載置台を組み立てた際に前記画像表示シートを含む回転部を載置する載置部を有し、
当該載置部に前記回転部を載置して組み立てられることを特徴とする組立式回転画像表示体。
【請求項４】
文字・絵柄等による画像を含んで構成された画像表示シートであって、レンズアレイが形成されたレンズシートと、当該レンズシートに対応するレンズ対応画像とにより構成された前記画像表示シートを有する回転画像表示体であって、回転力付与体から回転力を付与されて回転する前記回転画像表示体において、
一枚の平板状の板状体から、所定の折り線に沿って折り曲げられることにより箱体に組み立てられ、かつ、箱体に組み立てられている状態から前記一枚の平板状の板状体に戻すことが可能な前記箱体と、
少なくとも２つ以上の板状の支持板と、によって構成される載置台を有し、
前記箱体は、各前記支持板を挿嵌する挿嵌孔を有し、
前記支持板は、前記箱体の挿嵌孔に挿嵌する挿嵌部と、前記画像表示シートを含む回転部を載置する載置部を有し、
前記箱体の前記挿嵌孔に各前記支持板の挿嵌部を挿嵌して前記載置台を構成し、
前記支持板の載置部に前記回転部を載置して組み立てられることを特徴とする組立式回転画像表示体。
【請求項５】
前記箱体は、
当該箱体の底面に、複数の前記挿嵌孔を有し、
当該箱体の平面に、前記底面の前記挿嵌孔に対向する各箇所に前記挿嵌孔を有し、
各前記支持板は、
前記箱体の底面の挿嵌孔に挿嵌する前記挿嵌部と、
前記箱体の平面の挿嵌孔に挿嵌する前記挿嵌部を有し、
前記箱体の平面の挿嵌孔に各前記支持板の挿嵌部を挿嵌し、さらに、前記箱体の底面の挿嵌孔に各前記支持板の挿嵌部を挿嵌して前記載置台を構成することを特徴とする請求項４に記載の組立式回転画像表示体。
【請求項６】
前記回転部は、前記画像表示シートと、前記画像表示シートを取り外し可能に両端から保持する一対の板状の保持部と、前記保持部を回転可能に支持する支持部と、を有し、
前記支持部を前記載置部に載置して組み立てることを特徴とする請求項１乃至５のいずれか一項に記載の組立式回転画像表示体。
【請求項７】
組み立てる際には、前記回転力付与体が備える回転力付与部の当接部を、前記支持部の被当接部に当接させて動力伝達可能に軸継ぎすることにより、前記回転力付与体から回転力を受けることを特徴とする請求項１乃至６のいずれか一項に記載の組立式回転画像表示体。
【請求項８】
前記回転力付与体の前記回転力付与部の当接部と、前記支持部の前記被当接部の、一方へ磁石を備え他の一方へ当該磁石に引き寄せられる磁性体を備え、
組み立てる際には、前記回転力付与体の前記回転力付与部の当接部を、前記回転部の被当接部に当接させて磁力により軸継ぎすることにより、前記回転力付与体から回転力を受けることを特徴とする請求項７に記載の組立式回転画像表示体。
【請求項９】
前記回転力付与体は、渦巻バネを利用して動力とするゼンマイスプリング機構及び前記渦巻バネを巻き締める操作部を有し、
組み立てる際には、前記操作部により前記回転力付与体の前記渦巻バネを巻き上げた後に、前記回転力付与部の当接部を、前記支持部の被当接部に当接させて動力伝達可能に軸継ぎすることにより、前記回転力付与体から回転力を受けることを特徴とする請求項７又は８に記載の組立式回転画像表示体。
【請求項１０】
前記当接部と前記被当接部とのうち一方には、他方と対向する箇所に嵌合凸部が形成されるとともに、前記他方には、前記一方と対向する箇所に、前記嵌合凸部が嵌合する嵌合凹部が形成されていることを特徴とする請求項７乃至９のいずれか一項に記載の組立式回転画像表示体。
【発明の詳細な説明】
【技術分野】
【０００１】
本発明は、レンズアレイが形成されたレンズシートと、当該レンズシートに対応するレンズ対応画像とにより構成された画像表示シートを有し、組立・分解可能に構成された組立式回転画像表示体に関する。
【０００２】
チェンジング、ムービングなどの光学効果画像を観察するための表示ディスプレイとしては、例えば片面全体にレンチキュラーレンズ加工が施された板材と、レンチキュラーレンズ対応の絵柄が印刷されたカードを貼り合わせたものがある。このように構成された表示ディスプレイを、手に持って、目線の角度が変わるように振りながら見ると、レンチキュラーレンズ効果により観察者の視線移動に応じて絵柄が動くように見え、視覚効果を高めることができるものがある。一方で、表示ディスプレイ自体をモーター等で動かすことにより、観察者の視認する角度を変化させて観察者に絵柄が動くように見せるものもある（特許文献１）。
【先行技術文献】
【特許文献】
【０００３】
【特許文献１】特開２００６−２３５４５８号公報
【発明の概要】
【発明が解決しようとする課題】
【０００４】
観察者の視線の移動に頼らず、絵柄が動くように見せるためには、視認角度を変化させる必要があり、外的動力による回転駆動などが提案されている。しかしこれらは１５ｃｍ定規の大きさなど、小型のものに限定されていたり、店舗に据え付ける据え付けタイプのものには適応するものの、一般的なはがきサイズなど、人が視認するのに好適な大きさのものはなかった。これは、はがきサイズを前提に４面で構成すると、表示ディスプレイ部などを備えてネジや接着剤を用いて表示ディスプレイを構成しなければならず、回転体は大型となる。言い換えれば、表示ディスプレイを使用時にのみ組み立て、使用しない時には分解して収納する、ということは困難であり、可搬性、収納性がないものであった。また、従来の表示ディスプレイは、ネジ止めや接着剤による固定がなされたり、アルミニウム等の金属で溶着形成されていたため、分解できないものであった。そのため、従来のモーター付きの表示ディスプレイは、大きさの点で収納時、搬送時に嵩張るものであった。
【０００５】
本発明の目的は、上記問題等に鑑みて、使用の際に容易に組み立てることができる組立式回転画像表示体を提供することにある。
【課題を解決するための手段】
【０００６】
本発明の組立式回転力付与体は、文字・絵柄等による画像を含んで構成された画像表示シート１０ａ〜１０ｄであって、レンズアレイが形成されたレンズシートと、当該レンズシートに対応するレンズ対応画像とにより構成された前記画像表示シート１０ａ〜１０ｄを有する回転画像表示体であって、回転力付与体１００から回転力を付与されて回転する前記回転画像表示体において、一対の板状の支脚板２２３と、少なくとも２つ以上の板状の支持板２２１、２２２と、を有し、前記支脚板２２３は、前記支持板２２１、２２２と係合する係合溝２２３ａを有し、前記支持板２２１、２２２は、前記支脚板２２３と係合する係合溝２２１ａ、２２２ａと、前記画像表示シート１０ａ〜１０ｄを含む回転部２１０を載置する載置部２２１ｂ、２２２ｂを有し、前記支脚板２２３が立設するよう、前記支脚板２２３と前記支持板２２１、２２２を、前記係合溝２２１ａ、２２２ａ、２２３ａにより係合して井桁状に組み立て、前記支持板２２１、２２２の載置部２２１ｂ、２２２ｂに前記回転部２１０を載置して組み立てられることを特徴とする。
【０００７】
本発明の組立式回転力付与体は、文字・絵柄等による画像を含んで構成された画像表示シートであって、レンズアレイが形成されたレンズシートと、当該レンズシートに対応するレンズ対応画像とにより構成された前記画像表示シートを有する回転画像表示体であって、回転力付与体から回転力を付与されて回転する前記回転画像表示体において、一対の板状の支脚板２４３、２４４と、一対の板状の支持板２４１、２４２と、を有し、前記支脚板２４３、２４４は、前記支持板２４１、２４２と係合する係合溝２４３ａ、２４４ａと、各前記支脚板を互いに係合する係合溝２４３ｂ、２４４ｂを有し、前記支持板２４１、２４２は、前記支脚板２４３と係合する係合溝２４１ａ、２４２ａと、前記画像表示シートを含む回転部２１０を載置する載置部２４１ｂ、２４２ｂを有し、各前記支脚板２４３、２４４を前記係合溝２４３ｂ、２４４ｂにより互いに交差させて組み付け、かつ、前記支脚板２４３、２４４が立設するよう、前記支脚板２４３、２４４と前記支持板２４１、２４２を、前記係合溝２４３ａ、２４４ａ、２４１ａ、２４２ａにより係合して組み立て、前記支持板２４１、２４２の載置部２４１ｂ、２４２ｂに前記回転部２１０を載置して組み立てられることを特徴とする。
【０００８】
本発明の組立式回転力付与体は、文字・絵柄等による画像を含んで構成された画像表示シートであって、レンズアレイが形成されたレンズシートと、当該レンズシートに対応するレンズ対応画像とにより構成された前記画像表示シートを有する回転画像表示体であって、回転力付与体から回転力を付与されて回転する前記回転画像表示体において、一枚の平板状の板状体２５１から、所定の折り線２５１ａに沿って折り曲げられることにより立設体に組み立てられ、かつ、立設体に組み立てられている状態から前記一枚の平板状の板状体２５１に戻すことが可能な載置台２５０を有し、前記板状体２５１は、前記載置台２５０を組み立てた際に前記画像表示シートを含む回転部２１０を載置する載置部２５１ｂを有し、当該載置部２５１ｂに前記回転部２１０を載置して組み立てられることを特徴とする。
【０００９】
本発明の組立式回転力付与体は、文字・絵柄等による画像を含んで構成された画像表示シートであって、レンズアレイが形成されたレンズシートと、当該レンズシートに対応するレンズ対応画像とにより構成された前記画像表示シートを有する回転画像表示体であって、回転力付与体から回転力を付与されて回転する前記回転画像表示体において、一枚の平板状の板状体２６４から、所定の折り線２６３ａに沿って折り曲げられることにより箱体２６３に組み立てられ、かつ、箱体２６３に組み立てられている状態から前記一枚の平板状の板状体２６４に戻すことが可能な前記箱体２６３と、少なくとも２つ以上の板状の支持板２６１、２６２と、によって構成される載置台２６０を有し、前記箱体２６３は、各前記支持板２６１、２６２を挿嵌する挿嵌孔２６３ｓ、２６３ｔを有し、前記支持板２６１、２６２は、前記箱体２６３の挿嵌孔２６３ｓ、２６３ｔに挿嵌する挿嵌部２６１ｓ、２６１ｔ、２６２ｓ、２６２ｔと、前記画像表示シートを含む回転部を載置する載置部２６１ｂ、２６２ｂを有し、前記箱体２６３の前記挿嵌孔２６３ｓ、２６３ｔに各前記支持板２６１、２６２の挿嵌部２６１ｓ、２６１ｔ、２６２ｓ、２６２ｔを挿嵌して前記載置台２６０を構成し、前記支持板２６１、２６２の載置部２６１ｂ、２６２ｂに前記回転部２１０を載置して組み立てられることを特徴とする。
【００１０】
前記箱体２６３は、当該箱体の底面に、複数の前記挿嵌孔２６３ｔを有し、当該箱体の平面に、前記底面の前記挿嵌孔２６３ｔに対向する各箇所に前記挿嵌孔２６３ｓを有し、各前記支持板２６１、２６２は、前記箱体２６３の底面の挿嵌孔２６３ｔに挿嵌する前記挿嵌部２６１ｔ、２６２ｔと、前記箱体２６３の平面の挿嵌孔２６３ｓに挿嵌する前記挿嵌部２６１ｓ、２６２ｓを有し、前記箱体２６３の平面の挿嵌孔２６３ｓに各前記支持板２６１、２６２の挿嵌部２６１ｓ、２６２ｓを挿嵌し、さらに、前記箱体２６３の底面の挿嵌孔２６３ｔに各前記支持板２６１、２６２の挿嵌部２６１ｔ、２６２ｔを挿嵌して前記載置台２６０を構成してもよい。
【００１１】
前記回転部２１０は、前記画像表示シート１０ａ〜１０ｄと、前記画像表示シート１０ａ〜１０ｄを取り外し可能に両端から保持する一対の板状の保持部２１１と、前記保持部２１１を回転可能に支持する支持部２１３、２１４と、を有し、前記支持部２１３、２１４を前記載置部２２１ｂ、２２２ｂ、２４１ｂ、２４２ｂ、２５１ｂ、２６１ｂ、２６２ｂに載置して組み立ててもよい。
【００１２】
組み立てる際には、前記回転力付与体１００が備える回転力付与部１１０の当接部１０２を、前記支持部２１３、２１４の被当接部２０２に当接させて動力伝達可能に軸継ぎすることにより、前記回転力付与体１００から回転力を受けてもよい。
【００１３】
前記回転力付与体１００の前記回転力付与部１１０の当接部１０２と、前記支持部２１３、２１４の前記被当接部２０２の、一方へ磁石１０３を備え他の一方へ当該磁石に引き寄せられる磁性体２０３を備え、組み立てる際には、前記回転力付与体１００の前記回転力付与部１１０の当接部１０２を、前記回転部２１０の被当接部２０２に当接させて磁力により軸継ぎすることにより、前記回転力付与体１００から回転力を受けてもよい。
【００１４】
前記回転力付与体は、渦巻バネを利用して動力とするゼンマイスプリング機構及び前記渦巻バネを巻き締める操作部を有し、組み立てる際には、前記操作部により前記回転力付与体の前記渦巻バネを巻き上げた後に、前記回転力付与部の当接部を、前記支持部２１３、２１４の被当接部に当接させて動力伝達可能に軸継ぎすることにより、前記回転力付与体から回転力を受けてもよい。
【００１５】
前記当接部と前記被当接部とのうち一方には、他方と対向する箇所に嵌合凸部が形成されるとともに、前記他方には、前記一方と対向する箇所に、前記嵌合凸部が嵌合する嵌合凹部を形成してもよい。
【発明の効果】
【００１６】
本発明の組立式回転画像表示体によれば、各部材を取り外し自在に構成したので、使用の際にのみ組立てて使用することができる。使用しないときには分解することができる。また、観察者側が所定方向に目を動かさなくても、レンチキュラーによる動く画像を観察できるため、動く画像を簡単に観察することができる。特に、店舗の広告物としてより有用である。
【図面の簡単な説明】
【００１７】
【図１】本発明の一実施形態である組立式回転画像表示体の斜視図である。
【図２】本発明の一実施形態である組立式回転画像表示体の斜視図である。
【図３】組立式回転画像表示体の要部分解図である。
【図４】支持板２２１の説明図である。（Ａ）は支持板２２１の背面図であり、（Ｂ）は支持板２２１の平面図である。
【図５】支持板２２２の説明図である。（Ａ）は支持板２２２の平面図であり、（Ｂ）は支持板２２２の背面図である。
【図６】支脚板２２３の説明図である。（Ａ）は支脚板２２３の背面図であり、（Ｂ）は支脚板２２３の平面図である。
【図７】保持部の平面図である。
【図８】図７に示す保持部の平面図の破線で囲まれた部分Ｂの拡大図である。
【図９】第２支持部の説明図である。（Ａ）は第２支持部の平面図である。（Ｂ）は第２支持部の概略断面図である。（Ｃ）は第２支持部に具備する磁性体の一例を示す図である。
【図１０】回転力付与体の正面図である。
【図１１】回転力付与体の背面図である。
【図１２】回転力付与体の背面図である。
【図１３】組立式回転画像表示体の要部の概略断面図である。
【図１４】図１３に示す概略断面図の破線で囲まれた部分Ｂの拡大図である。
【図１５】画像表示シートの回転の様子を示す説明図である。
【図１６】画像表示シートの回転の様子を示す説明図である。
【図１７】他の例による保持部の平面図である。
【図１８】他の例による支脚板の説明図である。（Ａ）は他の例による支脚板の平面図であり、（Ｂ）は他の例による支脚板の背面図である。
【図１９】他の例による支脚板の説明図である。（Ａ）は他の例による支脚板の平面図であり、（Ｂ）は他の例による支脚板の背面図である。
【図２０】組立て対応情報を明示した支持板及び支脚板の説明図である。
【図２１】他の例による回転力付与体の説明図である。
【図２２】他の例による載置台２４０の斜視図である。
【図２３】（Ａ）は支脚板２４３の平面図である。（Ｂ）は支脚板２４４の平面図である。
【図２４】支持板２４１（及び支持板２４２）の平面図である。
【図２５】他の例による載置台２５０の斜視図である。
【図２６】板状体２５１の平面図である。
【図２７】他の例による載置台２６０の組立て説明図である。
【図２８】他の例による載置台２６０の斜視図である。
【図２９】板状体２６４の平面図である。
【図３０】支持板２６１の平面図である。
【発明を実施するための形態】
【００１８】
本発明の実施形態について、図面を参照して説明する。ただし、以下に説明する実施形態は、あくまでも例示であり、以下に明示しない種々の変形や技術の適用を排除する意図はない。即ち、本発明は、その効果を奏する限りにおいて種々変形(各実施例を組み合わせる等)して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００１９】
図１は、本発明の一実施形態である組立式回転画像表示体の斜視図である。図２は、組立式回転画像表示体の斜視図であり、組立式回転画像表示体の構成をわかりやすく示すため画像表示シートを省略して図示している。図３は、組立式回転画像表示体の要部分解図である。
【００２０】
本発明において、画像表示シートとは、文字・絵柄等による画像を表示させるシートを意味する。画像表示シート１０ａ、１０ｂ、１０ｄ、１０ｄは、看板、掲示板、写真等様々な画像表示シートに対応可能である。特に、（１）マイクロレンズアレイが形成されたレンズシートや、（２）半円筒形状のシリンドリカルレンズアレイが並列配置されたレンズシートの一例としてのレンチキュラーシートと、シリンドリカルレンズの表面と反対側の面にレンチキュラーシートに対応するレンズ対応画像としてのレンチキュラー画像が配置されて構成される画像表示シートを用いれば、観察者の視線の移動に頼らず絵柄が動くように見せることができる組立式回転画像表示体２００を実現することができ、有用である。本実施形態では、画像表示シートとしてレンチキュラーシートを用いたものを使用する。なお、レンチキュラーシートによる画像表示シートの構成は、従来公知の構成を採用することができ、その説明を省略する。各図において、画像表示シート１０ａ、１０ｂ、１０ｃ、１０ｄに表される像は図示を省略している。
【００２１】
本実施形態の組立式回転画像表示体２００は、文字・絵柄等による画像を含んで構成された画像表示シート１０ａ、１０ｂ、１０ｄ、１０ｄであって、レンズアレイが形成されたレンズシートと、当該レンズシートに対応するレンズ対応画像とにより構成された画像表示シート１０ａ、１０ｂ、１０ｄ、１０ｄを有する回転画像表示体であって、回転力付与体１００から回転力を付与されて回転する回転画像表示体において、一対の板状の支脚板２２３と、少なくとも２つ以上の板状の支持板２２１、２２２と、を有する。そして、支脚板２２３は、支持板２２１、２２２と係合する係合溝２２３ａを有し、支持板２２１、２２２は、支脚板２２３と係合する係合溝２２１ａ、２２２ａと、画像表示シート１０ａ、１０ｂ、１０ｄ、１０ｄを含む回転部２１０を載置する載置部２２１ｂ、２２２ｂを有する。そして、支脚板２２３が立設するよう、支脚板２２３と支持板２２１、２２２を、係合溝２２１ａ、２２２ａ、２２３ａにより係合して井桁状に組み立て、支持板２２１、２２２の載置部２２１ｂ、２２２ｂに回転部２１０を載置して組み立てる。
【００２２】
組立式回転画像表示体２００を組み立てる際に、支持板２２１及び２２２と一対の支脚板２２３を井桁状に組み立てることにより、回転部２１０を載置する載置台を組み立てる。回転部２１０とは、回転力付与体１００から回転力を受けて回転する部分であり、少なくとも画像表示シート１０ａ、１０ｂ、１０ｄ、１０ｄを含む。本実施形態の例では、一対の保持部２１１、回転軸２１２、支持部の一例としての第１支持部２１３及び第２支持部２１４を回転部２１０に含む。
【００２３】
図４は、支持板２２１の説明図であり、図５は、支持板２２２の説明図である。図６は、支脚板２２３の説明図である。
図４（Ａ）は支持板２２１の背面図であり、（Ｂ）は支持板２２１の平面図である。図５（Ａ）は支持板２２２の平面図であり、（Ｂ）は支持板２２２の背面図である。図６（Ａ）は支脚板２２３の背面図であり、（Ｂ）は支脚板２２３の平面図である。
【００２４】
支持板２２１及び２２２は、一対の支脚板２２３と井桁状に組み立てられ、組立式回転画像表示体２００の回転部２１０を載置する載置台となる。
支持板２２１は、支脚板２２３と係合する係合溝２２１ａを備え、支持板２２２は、支脚板２２３と係合する係合溝２２２ａを備える。
支脚板２２３は、支持板２２１及び２２２と係合する係合溝２２３ａを備える。
また、支持板２２１、２２２は、回転部２１０を載置するＵ字状の載置部２２１ｂ、２２２ｂを備える。
【００２５】
支持板２２１及び２２２、及び、支脚板２２３を組み立てる際には、図１乃至図３に示すように、支持板２２１及び支持板２２２の係合溝２２１ａ、２２２ａと、支脚板２２３の係合溝２２３ａとを互いに係合させて、支脚板２２３が立設するよう井桁状に組み立てる。図示のように、支脚板２２３が八の字状となるよう立設させて組み立てることにより、安定した載置台を構成することができる。
【００２６】
次いで、載置台に載置される回転部２１０について説明する。図７は、保持部２１１の平面図である。図８は、図７に示す保持部２１１の平面図の破線で囲まれた部分Ｂの拡大図である。
画像表示シート１０ａ、１０ｂ、１０ｃ、１０ｄは、一対の板状の保持部２１１により、両端を挟んで取り外し可能に保持されている。本実施形態に示す例では、画像表示シート１０ａ、１０ｂ、１０ｃ、１０ｄを保持部２１１で筒状に保持して構成している。
保持部２１１の中央には、回転軸２１２を貫通させるための孔２１１ｂが設けられている。
また、保持部２１１は、画像表示シート１０ａ、１０ｂ、１０ｃ、１０ｄを差し込んで嵌める複数の嵌挿溝２１１ａが設けられている。わかりやすさのため、図８中、保持部２１１の嵌挿溝２１１ａを縞模様で示した。
【００２７】
図９は、第２支持部２１４の説明図である。図９（Ａ）は第２支持部２１４の平面図である。図９（Ｂ）は図９（Ａ）に示す第２支持部２１４の概略断面図である。図９（Ｃ）は第２支持部２１４に具備する磁性体２０３の一例を示す図である。
【００２８】
組立式回転画像表示体２００の第２支持部２１４は、回転力付与体１００が当接される被当接部２０２に磁石に引き寄せられる磁性体２０３を備える。例えば、第２支持部２１４の被当接部２０２内部に、磁性体２０３としての鉄板、磁石等を備える。図９（Ｃ）は、被当接部２０２のうち、磁性体２０３を備える箇所の一例であり、同図の例では、被当接部２０２のうち、内部に磁性体２０３を具備する領域を網状で示した。
【００２９】
第２支持部２１４の中央には、回転軸２１２を差し込んで、回転軸２１２を第２支持部２１４に固定する軸受穴２０５が設けられている。
磁性体２０３が回転することにより、第２支持部２１４が回転し、当該第２支持部２１４に軸継された回転軸２１２も回転する。そして、一対の保持部２１１、及び当該保持部２１１に保持された画像表示シート１０ａ、１０ｂ、１０ｃ、１０ｄが回転するよう構成されている。
【００３０】
次に、組立式回転画像表示体２００に回転力を付与する回転力付与体について説明する。図１０は、回転力付与体の正面図であり、図１１及び図１２は回転力付与体の背面図である。
回転力付与体１００は、回転力付与部１１０を有する。回転力付与部１１０は、回転力付与体１００に備えた動力発生装置から動力を得る。
本実施形態の回転力付与体１００は、動力発生装置の一例として、回転力付与体１００内部に渦巻バネを利用して動力とするゼンマイスプリング機構（不図示）を備える。ゼンマイスプリング機構は、薄い帯状の金属を渦状に巻いた渦巻ばね（スプリング）を巻き締めて弾性エネルギーを蓄え、弛もうとする力を利用して動力とし、従来公知のゼンマイスプリング機構を採用することができる。
【００３１】
回転力付与体１００は、筐体外部に渦巻バネを巻き締める操作部１０１を備え、操作部１０１を回転させることにより、筐体内部に備えた渦巻バネを巻き締めることができる。回転力付与部１１０の、組立式回転画像表示体２００との当接部１０２には、磁石１０３が備えられている。本実施形態の例では、当接部１０２の内側の２箇所に磁石１０３が備えられている。磁石１０３は、例えば、永久磁石、フェライトマグネット等である。
【００３２】
操作部１０１を回転させて、回転力付与体１００内部に備えたゼンマイスプリング機構の渦巻バネを巻き締めた後に手を放すと、回転力付与部１１０が回転する。図１１及び図１２に示す例において、矢印方向に回転力付与部１１０が回転し、当接部１０２の磁石１０３が回転するよう構成されている。
【００３３】
本実施形態では、回転力付与部１１０の当接部１０２と、組立式回転画像表示体２００の被当接部２０２のうち一方には、他方と対向する箇所に嵌合凸部を形成した。そして、他方には、一方と対向する箇所に、嵌合凸部が嵌合する嵌合凹部を形成した。
具体的には、図９（Ａ）乃至図９（Ｃ）等に示す如く、組立式回転画像表示体２００の被当接部２０２には、円形凸状の嵌合凸部２０４を形成した。また、図１４等に示す如く、回転力付与部１１０の当接部１０２には、円形凹状の嵌合凹部１０４を形成した。
【００３４】
これら嵌合凸部２０４と嵌合凹部１０４により、回転力付与体１００と組立式回転画像表示体２００との位置合わせをより簡単に行うことができる。位置合わせとは、具体的には、組立式回転画像表示体２００の被当接部２０２の磁性体２０３と、回転力付与部１１０の当接部１０２の磁石１０３との位置合わせである。
【００３５】
図１３は、組立式回転画像表示体の要部の概略断面図であり、図１４は、図１３に示す概略断面図の破線で囲まれた部分Ｂの拡大図である。
図１５及び図１６は、画像表示シートの回転の様子を示す説明図である。図１５及び図１６は、回転力付与体を装着した組立式回転画像表示体２００を、側面から観た図である。言い換えれば、回転力付与体１００の側から観た図である。
【００３６】
組立式回転画像表示体２００を組み立てる際には、支持部の一例としての第１支持部２１３及び第２支持部２１４により保持部２１１を回転可能に支持する。具体的には、まず、一対の保持部２１１の孔２１１ｂに、回転軸２１２を貫通させる。次に、各保持部２１１の外側に突出した回転軸２１２の一端に第１支持部２１３を嵌め、他端に第２支持部２１４を嵌める。
次に、第１支持部２１３及び第２支持部２１４を、支持板２２１、２２２の載置部２２１ｂ、２２２ｂに載置させる。
【００３７】
そして、画像表示シート１０ａ、１０ｂ、１０ｃ、１０ｄを保持部２１１の嵌挿溝２１１ａに挿しこんで嵌める。
【００３８】
組立式回転画像表示体２００を組み立てて、画像表示シートによる像を観察する際には、操作部１０１により渦巻バネを巻き上げた後に、回転力付与体１００を組立式回転画像表示体２００に当接させる。すると、回転部２１０全体が回転する。すなわち、回転力付与体１００の回転力付与部１１０の回転により、磁石１０３が回転し、この回転力が、磁石１０３に引き寄せられた被当接部２０２の磁性体２０３に与えられ、第２支持部２１４が回転し、画像表示シート１０ａ、１０ｂ、１０ｃ、１０ｄが回転する（図１５、図１６）。
【００３９】
本実施形態では、被当接部２０２に磁性体２０３を設け、当接部１０２に磁石１０３を設けたが、被当接部２０２に磁石を設け、当接部１０２に磁性体を設けてもよい。
【００４０】
画像表示シートは一枚でも複数でもよい。本実施形態のように、複数の画像表示シート１０ａ、１０ｂ、１０ｃ、１０ｄを回転させる場合には、回転を安定して行うために、各画像表示シート１０ａ、１０ｂ、１０ｃ、１０ｄは、略同じ重量であることが好ましい。
また、画像表示シートの枚数に合わせて保持部を設計変更することも可能である。図１７は他の例による保持部の平面図である。図１７に示す保持部を１対（２つ）用いることにより、３枚の画像表示シートの両端を挟んで筒状に保持することができる。
【００４１】
さらに、回転力付与体１００は、組立式回転画像表示体２００に対して、しっかりと止着させないほうがよい。上述したように、当接部１０２と被当接部２０２を、磁石１０３と磁性体２０３による引き付けあう磁力程度に緩く固定することにより、組立式回転画像表示体２００の回転の揺らぎを吸収して滑らかに回転させることができる。
【００４２】
磁石１０３と磁性体２０３による磁力により、回転力付与体１００を組立式回転画像表示体２００に取り付けているが、回転力付与体１００の重量、又は、組立式回転画像表示体２００の頑丈性等に応じて、他の掛着手段を設けてもよい。
例えば、嵌合凸部２０４と嵌合凹部１０４によれば、位置合わせのみならず、回転力付与体１００を組立式回転画像表示体２００に掛着させる掛着手段としても機能している。嵌合凸部２０４と嵌合凹部１０４により、磁力のみの場合と比べて、回転力付与体１００を安定的に取り付けることができる。
【００４３】
さらに、回転力付与体１００の重心を、当接部１０２より重力方向下部に位置させてもよい。より一層、組立式回転画像表示体２００の回転の揺らぎを吸収して滑らかに回転させることができる。回転力付与体１００の重心を図１０及び図１１中下方向（重力方向下）に位置させると、回転力付与体１００が組立式回転画像表示体２００の被当接部２０２にぶら下がるように揺れて、組立式回転画像表示体２００の回転の揺らぎを吸収して、さらに滑らかに回転させることができる。
【００４４】
以上説明したように、本実施形態の組立式回転画像表示体２００によれば、組立分解可能に構成したので、使用の際にのみ組立てて使用することができる。使用しないときには分解することができる。
【００４５】
また、観察者側が所定方向に目を動かさなくても、レンチキュラーによる動く画像を観察できるため、動く画像を簡単に観察することができる。特に、店舗の広告物としてより有用である。
画面が動くだけでなく、組立式回転画像表示体２００の回転部２１０が回転するため、より一層人々の注意を惹きつけることができる。
さらに、各部材は紙、木材・金属材・プラスチックいずれの材料でも構成できるが、特に、紙、MDFその他の木材や、プラスチック複合材等を用いれば、比較的安価に製造できる。
【００４６】
４つの板状体、すなわち、支持板２２１及び２２２、一対の支脚板２２３があれば、載置台を組み立てることができる。そのため、分解して収納する際に嵩張らない。また、これら、支持板２２１及び２２２と、一対の支脚板２２３とを井桁状に嵌めて組み立てるだけで載置台を構成できるため、誰でも、例えば子どもでも、簡単に組立て分解が可能である。
【００４７】
さらに、支脚板２２３の横方向サイズを変更するだけで、種々のサイズの画像表示シートにも対応できる。図１８及び図１９は他の例による支脚板の説明図である。
図１８（Ａ）は支脚板２２４の平面図であり、図１８（Ｂ）は支脚板２２４の背面図である。例えば、図６に示した支脚板２２３が、回転部２１０を組み立てた際に、葉書きサイズの画像表示シート１０ａ、１０ｂ、１０ｃ、１０ｄが横方向に嵌るよう設計されたものである場合（図１参照）、図１８の支脚板２２４を用いれば、葉書きサイズの画像表示シート１０ａ、１０ｂ、１０ｃ、１０ｄを縦方向に嵌めることができ、縦方向に回転させることができる。
【００４８】
また、図１９（Ａ）は支脚板２２５の平面図であり、図１９（Ｂ）は支脚板２２５の背面図である。例えば、横長のサイズの画像表示シート１０ａ、１０ｂ、１０ｃ、１０ｄ嵌めて回転させることができる。
このように、支脚板のサイズを変更するだけで、種々の画像表示シートに対応できる。
【００４９】
なお、本実施形態では、２枚の支持板２２１及び２２２を用いたが、３枚以上でもよい。２枚の支持板２２１及び２２２の間に、他の支持板を井桁状に嵌め設ければ、より丈夫な載置台を構成できる。特に、横方向に大きなサイズの支脚板を用いる場合に、３枚以上の支持板を用いれば、横方向に大きくとも丈夫な載置台を構成でき、有用である。
【００５０】
また、支持板２２１及び支持板２２２の係合溝２２１ａ、２２２ａ付近、支脚板２２３の係合溝２２３ａ付近に、井桁状に組み立てる際の組立て対応情報を明示してもよい。組立て対応情報は、例えば、文字、数字、絵柄、色等で表すことができる。対応する係合溝を区別できればよい。また、組立て対応情報は、井桁状に組み立て載置台を構成したときに目立たない位置に明示することが好ましい。
図２０は、組立て対応情報を明示した支持板及び支脚板の説明図である。（Ａ）は組立て対応情報を明示した支持板２２１の背面図、（Ｂ）は組立て対応情報を明示した支持板２２２の背面図、（Ｃ）は組立て対応情報を明示した一方の支脚板２２３の背面図、（Ｄ）は組立て対応情報を明示した他方の支脚板２２３の背面図である。
【００５１】
図２０（Ａ）の例では、支持板２２１の２つの係合溝２２１ａ付近には、組立て対応情報「Ａ」と「Ｂ」が明示されており、図２０（Ｂ）の例では、支持板２２２の２つの係合溝２２２ａ付近には、組立て対応情報「Ｃ」と「Ｄ」が明示されている。また、図２０（Ｃ）の例では、一方の支脚板２２３の２つの係合溝２２３ａ付近には、組立て対応情報「Ｄ」と「Ａ」が明示されており、図２０（Ｄ）の例では、他方の支脚板２２３の２つの係合溝２２３ａ付近には、組立て対応情報「Ｂ」と「Ｃ」が明示されている。
【００５２】
これら組立て対応情報を参照しながら、組立て対応情報「Ａ」が明示された支持板２２１の係合溝２２１ａと、組立て対応情報「Ａ」が明示された支脚板２２３の係合溝２２３ａとを嵌めて組立てる。組立て対応情報「Ｂ」、「Ｃ」、「Ｄ」も同様に、組立て対応情報を参照して同じ対応情報同士を嵌めて組み立てることにより、迷うことなく容易に井桁に組み立て載置台を構成できる。
【００５３】
さらに、本実施形態の回転力付与体１００によれば、組立式回転画像表示体２００に対し着脱自在に構成できる。よって、画像表示シートによる像を観察する際に、回転力付与部１１０の当接部１０２を、組立式回転画像表示体２００の被当接部２０２に当接させて動力伝達可能に軸継ぎし、回転力を組立式回転画像表示体２００に付与して、画像表示シート１０ａ、１０ｂ、１０ｄ、１０ｄを回転させることができる。
【００５４】
また、ゼンマイスプイング機構の渦巻バネを巻き上げた後に当接部１０２を組立式回転画像表示体２００の被当接部２０２に当接させるよう構成したので、一方の手で、渦巻バネを巻き締めるときに、他方の手で組立式回転画像表示体２００本体を持ち上げる等の煩わしい動作を行う必要がなく、手元で渦巻バネの巻き上げ作業を行うことができ、簡単、かつ、安全に、渦巻バネを巻き上げて回転力を受けることができる。
【００５５】
さらに、回転力付与部１１０の当接部１０２を、組立式回転画像表示体２００の被当接部２０２に当接させて磁力により軸継ぎしたので、仮に回転している組立式回転画像表示体２００に不用意に触っても、磁石面がクラッチ効果を持つため、安全であり、組立式回転画像表示体２００を損傷することもない。また、他のクラッチ機構を必要とすることもないため、コストダウンの効果もある。
【００５６】
なお、画像表示シートは、レンチキュラーシートを用いるものに限定されない。各種マイクロレンズアレイが形成されたレンズシートを用いれば、各種レンズシートによって観察できる像を楽しむことができる。
また、本実施形態では、回転力付与部１１０の当接部１０２に嵌合凹部１０４を設け、組立式回転画像表示体２００の被当接部２０２に嵌合凸部２０４を設けたが、回転力付与部１１０の当接部１０２に嵌合凸部を設け、組立式回転画像表示体２００の被当接部２０２に嵌合凹部を設けてもよい。
【００５７】
さらに、回転力付与体１００に備える動力発生装置は、ゼンマイスプリング機構に限定されない。例えば、電動モータ・アクチュエータ、玩具で使用するプッシュバック等によるフリクション、ロウソクなどの上昇気流を利用した風力等を用いてもよい。
【００５８】
さらに、回転力付与体１００の形状に制限はない。但し、回転力付与体１００の重心を、当接部１０２より重力方向下部に位置させることが好ましい。
図２１に他の例による回転力付与体の説明図を示す。回転力付与体１００の重心を、当接部１０２より重力方向下部に位置させることにより、組立式回転画像表示体２００の回転の揺らぎを吸収してより滑らかに回転させることができる。
【００５９】
さらに、本実施形態では、組立式回転画像表示体２００に回転力を与える際、一方の保持部２１１から他方の保持部２１１に貫通させた回転軸２１２を利用したが、回転軸２１２はなくともよい。他の例として、組立式回転画像表示体２００の保持部２１１から、左右に突き出ている形状でシャフトを形成してもよい。
また、画像表示シート１０ａ、１０ｂ、１０ｃ、１０ｄに所定の強度があり、回転軸等のシャフトがなくとも組立式回転画像表示体２００を回転させることが可能である場合も、回転軸２１２は不要である。画像表示シート１０ａ、１０ｂ、１０ｃ、１０ｄを通じて一方の保持部２１１から他方の保持部２１１へ回転力が伝達され、組立式回転画像表示体２００が回転すればよい。
【００６０】
さらにまた、支持板２２１及び２２２と一対の支脚板２２３を井桁状に組み立てることにより、回転部２１０を載置する載置台を組み立てたが、載置台の構成もこの構成に限定されない。他の例による載置台の構成について以下に説明する。
【００６１】
＜他の例による載置台＞
【００６２】
図２２は、他の例による載置台２４０の斜視図である。同図の例による載置台２４０は、一対の板状の支脚板２４３、２４４を交差させて構成したものである。図２３（Ａ）は、支脚板２４３の平面図であり、図２３（Ｂ）は支脚板２４４の平面図である。図２４は、支持板２４１（及び支持板２４２）の平面図である。支持板２４１と支持板２４２は同様の構成である。
載置台２４０による組立式回転画像表示体の回転部２１０の構成は上述した実施形態と同様である。
【００６３】
載置台２４０による組立式回転画像表示体は、一対の板状の支脚板２４３、２４４と、一対の板状の支持板２４１、２４２と、を有し、支脚板２４３、２４４は、支持板２４１、２４２と係合する係合溝２４３ａ、２４４ａと、各支脚板を互いに係合する係合溝２４３ｂ、２４４ｂを有し、支持板２４１、２４２は、支脚板２４３と係合する係合溝２４１ａ、２４２ａと、画像表示シートを含む回転部２１０を載置する載置部２４１ｂ、２４２ｂを有し、各支脚板２４３、２４４を係合溝２４３ｂ、２４４ｂにより互いに交差させて組み付け、かつ、支脚板２４３、２４４が立設するよう、支脚板２４３、２４４と支持板２４１、２４２を、係合溝２４３ａ、２４４ａ、２４１ａ、２４２ａにより係合して組み立てる。そして、支持板２４１、２４２の載置部２４１ｂ、２４２ｂに上述した回転部２１０を載置して組立式回転画像表示体を組み立てる。
【００６４】
図２３（Ａ）に示すように、支脚板２４３は、支持板２４１及び２４２と係合する係合溝２４３ａを備える。さらに、支脚板２４３は、支脚板２４４と係合する係合溝２４３ｂを備える。
図２３（Ｂ）に示すように、支脚板２４４は、支持板２４１及び２４２と係合する係合溝２４４ａを備える。さらに、支脚板２４４は、支脚板２４３と係合する係合溝２４４ｂを備える。
図２４に示すように、支持板２４１は、支脚板２４３及び支脚板２４４と係合する係合溝２４１ａを備える。さらに、支持板２４１は、回転部２１０を載置するＵ字状の載置部２４１ｂを備える。支持板２４２も同様の構成である（図２２）。
【００６５】
支持板２４１及び２４２、及び、支脚板２４３、２４４を組み立てる際には、図２２に示すように、各支脚板２４３、２４４を係合溝２４３ｂ、２４４ｂにより互いに交差させて組み付ける。そして、支脚板２４３、２４４の係合溝２４３ａ、２４４ａと、支持板２４１、２４２の係合溝２４１ａ、２４２ａとを互いに係合させて、支脚板２２３、２４４が立設するよう組み立てる。
このような構成の載置台２４０によれば、支脚板２４３、２４４を交差させたことにより、よりぐらつきのない安定した載置台２４０を実現できる。特に、軽量材料で構成した場合であっても、ぐらつきを防いで安定した組立式回転画像表示体を実現できる。
【００６６】
図２５は、他の例による載置台２５０の斜視図である。図２６は、載置台２５０を構成する板状体２５１の平面図である。載置台２５０による組立式回転画像表示体の回転部２１０の構成は上述した実施形態と同様である。
載置台２５０による組立式回転画像表示体は、一枚の平板状の板状体２５１から、所定の折り線２５１ａに沿って折り曲げられることにより立設体に組み立てられ、かつ、立設体に組み立てられている状態から一枚の平板状の板状体２５１に戻すことが可能な載置台２５０を有し、板状体２５１は、載置台２５０を組み立てた際に画像表示シートを含む回転部２１０を載置する載置部２５１ｂを有する。
【００６７】
載置台２５０は、一枚の平板状の板状体２５１を折り線２５１ａに沿って折り曲げて立設体を組み立てることにより成る。折り曲げを元に戻すことにより、一枚の平板状の板状体２５１に戻すこともできる。
なお、折り曲げた後に立設体を維持するために、折り曲げた際に接する接面（図２６において左端辺及び右端辺）同士を接着すればよい。例えば、折り曲げた際に接する、板状体２５１の厚み方向の面同士を接着すればよい。又は、板状体２５１の折り曲げた際に接する一方の端辺にのりしろ部（不図示）を備えて、当該のりしろ部を他方の端辺に貼り着け接着してもよい。立設体を構成した後に、貼り紙等によりくるみ貼して立設体を固定し載置台２５０を構成してもよい。
【００６８】
さらに、折り線２５１ａの谷面側にＶカット溝を形成してもよい。Ｖカット溝は、山面側の板状体２５１を切らない深さに形成する。例えば、板状体２５１の折り目の谷面側をその内角に対して略補角をなす断面Ｖ字状に切除してなるＶカット溝とすることが好ましい。板状体２５１を折る際に、予定された内角通りに正確かつ容易に折ることができるからである。載置台２５０の例では、板状体２５１を折り曲げた際の谷面側の内角は９０度であるため、該内角に対して補角すなわち９０度をなすＶカット溝を形成する。
【００６９】
そして、載置台２５０を組み立てた際に、載置部２５１ｂに画像表示シートを含む回転部２１０を載置して組立式回転画像表示体を構成する。このような構成の載置台２５０によれば、予め載置部２５１ａを形成した板状体２５１を折り線２５１ａに沿って折り曲げるだけで載置台２５０を構成できる。
【００７０】
図２７は、他の例による載置台２６０の組立て説明図、図２８は斜視図である。同図の例による載置台２６０は、箱体２６３に支持板２６１、２６２を挿嵌させて構成したものである。図２９は板状体２６４の平面図である。図３０は支持板２６１（及び支持板２６２）の平面図である。支持板２６１と支持板２６２は同様の構成である。
また、載置台２６０による組立式回転画像表示体の回転部２１０の構成は上述した実施形態と同様である。
【００７１】
載置台２６０による組立式回転画像表示体は、一枚の平板状の板状体２６４から、所定の折り線２６３ａに沿って折り曲げられることにより箱体２６３に組み立てられ、かつ、箱体２６３に組み立てられている状態から一枚の平板状の板状体２６４に戻すことが可能な箱体２６３と、少なくとも２つ以上の板状の支持板２６１、２６２と、によって構成される載置台２６０を有し、箱体２６３は、各支持板２６１、２６２を挿嵌する挿嵌孔２６３ｓ、２６３ｔを有し、支持板２６１、２６２は、箱体２６３の挿嵌孔２６３ｓ、２６３ｔに挿嵌する挿嵌部２６１ｓ、２６１ｔ、２６２ｓ、２６２ｔと、画像表示シートを含む回転部を載置する載置部２６１ｂ、２６２ｂを有し、箱体２６３の挿嵌孔２６３ｓ、２６３ｔに各支持板２６１、２６２の挿嵌部２６１ｓ、２６１ｔ、２６２ｓ、２６２ｔを挿嵌して載置台２６０を構成する。そして、支持板２６１、２６２の載置部２６１ｂを２６２ｂに回転部２１０を載置して組立式回転画像表示体を組み立てる。
【００７２】
図３０に示すように、支持板２６１は、箱体２６３に挿嵌する挿嵌部２６１ｓ、２６１ｔを備える。さらに、支持板２６１は、回転部２１０を載置するＵ字状の載置部２６１ｂを備える。支持板２６２も同様の構成である（図２７）。
図２７乃至図２９に示すように、箱体２６３は、一枚の平板状の板状体２６４から、所定の折り線２６３ａに沿って折り曲げられることにより構成される。箱体２６３は、各支持板２６１、２６２を挿嵌する挿嵌孔２６３ｓ、２６３ｔを有する。
【００７３】
なお、折り曲げた後に箱体を維持するために、折り曲げた際に接する接面同士を接着すればよい。また、板状体２６４の折り曲げた際に接する一方の端辺にのりしろ部（不図示）を備えて、当該のりしろ部を他方の端辺に貼り着け接着してもよい。箱体２６３を構成した後に、貼り紙等によりくるみ貼して固定してもよい。
さらに、折り線２６３ａの谷面側にＶカット溝を形成してもよい。Ｖカット溝の説明は上述した板状体２５１の折り線２５１ａと同様であるためここでの説明は省略する。
【００７４】
箱体２６３の例では、箱体２６３の底面に、各支持板を挿嵌する複数の挿嵌孔２６３ｔを有し、箱体２６３の平面に、底面の挿嵌孔２６３ｔに対向する各箇所に挿嵌孔２６３ｓを有するよう構成した。そして、各支持板２６１、２６２は、箱体２６３の底面の挿嵌孔２６３ｔに挿嵌する挿嵌部２６１ｔ、２６２ｔと、箱体２６３の平面の挿嵌孔２６３ｓに挿嵌する挿嵌部２６１ｓ、２６２ｓを有するよう構成した。
【００７５】
支持板２６１の挿嵌部２６１ｓ及び支持板２６２の挿嵌部２６２ｓは、その断面形状が、箱体２６３の平面の挿嵌孔２６３ｓの形状と略一致しており、挿嵌部２６１ｓ及び挿嵌部２６２ｓを挿嵌孔２６３ｓに、略ぴったりと挿嵌させることができる。また、支持板２６１の挿嵌部２６１ｔ及び支持板２６２の挿嵌部２６２ｔは、その断面形状が、箱体２６３の底面の挿嵌孔２６３ｔの形状と略一致しており、挿嵌部２６１ｔ及び挿嵌部２６２ｔを挿嵌孔２６３ｔに、略ぴったりと挿嵌させることができる。このように箱体２６３の平面と底面の２箇所で各支持板２６１及び２６２を安定させることができるため、ぐらつきのない安定した載置台２６０を実現できる。
【００７６】
なお、載置台２６０は、２枚の支持板２６１及び２６２を用いたが、３枚以上でもよい。２枚の支持板２６１及び２６２の間に、他の支持板を設けてもよい。この場合、箱体２６３の底面及び平面に、他の支持板を挿嵌させる挿嵌孔をそれぞれ設ければよい。３枚以上の支持板を用いればより丈夫な載置台を構成できる。
【００７７】
本発明の適用範囲は上記実施形態に限定されることはない。本発明は、レンズアレイが形成されたレンズシートと、当該レンズシートに対応するレンズ対応画像とにより構成された画像表示シートを有し、組立・分解可能に構成された組立式回転画像表示体に対し、広く適用することができる。
【符号の説明】
【００７８】
１００・・・回転力付与体
１０１・・・操作部
１０２・・・当接部
１０３・・・磁石
１０４・・・嵌合凹部
１１０・・・回転力付与部
２００・・・組立式回転画像表示体
２１０・・・回転部
２０２・・・被当接部
２０３・・・磁性体
２０４・・・嵌合凸部
２０５・・・軸受穴
２１１・・・保持部
２１１ａ・・・嵌挿溝、２１１ｂ・・・孔
２１２・・・回転軸
２１３・・・第１支持部（支持部）
２１４・・・第２支持部（支持部）
２２１・・・支持板
２２１ａ・・・係合溝、２２１ｂ・・・載置部
２２２・・・支持板
２２２ａ・・・係合溝、２２２ｂ・・・載置部
２２３・・・支脚板
２２３ａ・・・係合溝
１０ａ、１０ｂ、１０ｃ、１０ｄ・・・画像表示シート
２４１・・・支持板（２４１ａ・・・係合溝、２４１ｂ・・・載置部）
２４２・・・支持板（２４２ａ・・・係合溝、２４２ｂ・・・載置部）
２４３、２４４・・・支脚板（２４３ａ、２４３ｂ、２４４ａ、２４４ｂ・・・係合溝）
２５０・・・載置台
２５１・・・板状体（２５１ａ・・・折り線、２５１ｂ・・・載置部）
２６０・・・載置台
２６１・・・支持板（２６１ｓ、２６１ｔ・・・挿嵌部、２６１ｂ・・・載置部）
２６２・・・支持板（２６２ｓ、２６２ｔ・・・挿嵌部、２６２ｂ・・・載置部）
２６３・・・箱体（２６３ａ・・・折り線、２６３ｓ、２６３ｔ・・・挿嵌孔）
２６４・・・板状体
【図１】
2020038332.tif 000003
【図２】
2020038332.tif 000004
【図３】
2020038332.tif 000005
【図４】
2020038332.tif 000006
【図５】
2020038332.tif 000007
【図６】
2020038332.tif 000008
【図７】
2020038332.tif 000009
【図８】
2020038332.tif 000010
【図９】
2020038332.tif 000011
【図１０】
2020038332.tif 000012
【図１１】
2020038332.tif 000013
【図１２】
2020038332.tif 000014
【図１３】
2020038332.tif 000015
【図１４】
2020038332.tif 000016
【図１５】
2020038332.tif 000017
【図１６】
2020038332.tif 000018
【図１７】
2020038332.tif 000019
【図１８】
2020038332.tif 000020
【図１９】
2020038332.tif 000021
【図２０】
2020038332.tif 000022
【図２１】
2020038332.tif 000023
【図２２】
2020038332.tif 000024
【図２３】
2020038332.tif 000025
【図２４】
2020038332.tif 000026
【図２５】
2020038332.tif 000027
【図２６】
2020038332.tif 000028
【図２７】
2020038332.tif 000029
【図２８】
2020038332.tif 000030
【図２９】
2020038332.tif 000031
【図３０】
2020038332.tif 000032